(57)【要約】【課題】本発明は、デジタル音楽信号を送受信するための無線機器を別途設けることなく、親機（電話機）から子機（携帯機器）へのデジタル音楽信号（音楽データ）の送信をスムーズに行うことができる電話システムを提供することを課題とする。【解決手段】コードレス親子電話システム１は、携帯機器と、携帯機器を子機１ｂ〜１ｄとして登録可能な親機１ａと、を備える。親機１ａは、登録した携帯機器に対して、定期的にビーコンを送信する送信手段と、前記送信手段により送信するビーコンに、音楽データを付加する付加手段と、を備え、前記携帯機器は、前記ビーコンから取得した前記音楽データを再生する再生手段を備える。【選択図】図２
2008236495.tif 000002
【特許請求の範囲】
【請求項１】
携帯機器と、携帯機器を子機として登録可能な電話機と、を備える電話システムであって、
前記電話機は、
登録した携帯機器に対して、定期的にビーコンを送信する送信手段と、
前記送信手段により送信するビーコンに、音楽データを付加する付加手段と、を備え、
前記携帯機器は、前記ビーコンから取得した前記音楽データを再生する再生手段を備えることを特徴とする電話システム。
【請求項２】
前記付加手段は、前記音楽データを複数のスロットに付加することを特徴とする請求項１に記載の電話システム。
【請求項３】
前記電話機の前記付加手段は、スロットごとに異なる音楽データを付加し、
前記携帯機器の前記再生手段は、受信したビーコンに付加された音楽データの中から、所定のスロットに付加された音楽データを選択して再生することを特徴とする請求項２に記載の電話システム。
【請求項４】
前記電話機は、複数の携帯機器を子機としてそれぞれ登録可能であることを特徴とする請求項１ないし３のいずれかに記載の電話システム。
【発明の詳細な説明】
【技術分野】
【０００１】
本発明は、親機と子機を有する電話システムに関する。
【背景技術】
【０００２】
従来、デジタルオーディオ機器またはＩＳＤＮ回線からのデジタル音楽信号（音楽データ）を、電話機の親機または子機が送受信し、この親機または子機から無線信号を介して子機または親機にデジタル音楽信号を送信し、受信した子機または親機が、内蔵のスピーカーで音楽を再生する技術が知られている（特許文献１参照）。
【０００３】
【特許文献１】特開平７−２１２８２９号公報
【発明の開示】
【発明が解決しようとする課題】
【０００４】
しかしながら、従来の技術では、デジタル音楽信号を送受信するための無線機器を別途設けなければならないので、コストがかかるといった問題があった。
【０００５】
そこで、本発明は、デジタル音楽信号を送受信するための無線機器を別途設けることなく、親機（電話機）から子機（携帯機器）への音楽データの送信をスムーズに行うことができる電話システムを提供することを課題とする。
【課題を解決するための手段】
【０００６】
前記課題を解決する本発明は、携帯機器と、携帯機器を子機として登録可能な電話機と、を備える電話システムであって、前記電話機は、登録した携帯機器に対して、定期的にビーコンを送信する送信手段と、前記送信手段により送信するビーコンに、音楽データを付加する付加手段と、を備え、前記携帯機器は、前記ビーコンから取得した前記音楽データを再生する再生手段を備えることを特徴とする。
【０００７】
ここで、「ビーコン」とは、電話機と携帯機器とを同期させるために電話機から一定間隔で送信するパケットのことをいう。
【０００８】
本発明によれば、電話機から携帯機器に対して定期的に送信されるビーコンに、音楽データを付加するので、デジタル音楽信号を送受信するための無線機器を別途設けることなく、音楽データの送信がスムーズとなる。
【０００９】
また、前記付加手段で、前記音楽データを複数のスロットに付加するようにしてもよい。これによれば、データ量の大きな音楽データも、容易に送信することができる。
【００１０】
また、前記電話機の前記付加手段は、スロットごとに異なる音楽データを付加し、前記携帯機器の前記再生手段は、受信したビーコンに付加された音楽データの中から、所定のスロットに付加された音楽データを選択して再生するように構成されていてもよい。これによれば、特に、複数の携帯機器が子機として登録されている場合に、携帯機器ごとに異なる音楽を再生することができる。
また、ビーコンは、電話機から各携帯機器に対して一定間隔で送信されているため、一の携帯機器が電話機と通話中であっても、通話中でない他の携帯機器は、電話機からビーコンを受信するため、そのビーコンから取得した音楽データを、一の携帯機器の影響を受けることなく再生することができる。
【発明の効果】
【００１１】
本発明によれば、電話機から携帯機器に対して定期的に送信されるビーコンに、音楽データを付加するので、デジタル音楽信号を送受信するための無線機器を別途設けることなく、音楽データの送信をスムーズに行うことができる。
【発明を実施するための最良の形態】
【００１２】
次に、本発明の実施形態について、適宜図面を参照しながら詳細に説明する。参照する図面において、図１は親機と子機とから構成されるコードレス親子電話システムの外観斜視図であり、図２はビーコンの構造を示す説明図であり、送信スロットを１つしか利用しない形態を示す図（ａ）と、送信スロットを３つ利用した形態を示す図（ｂ）である。
【００１３】
図１に示すように、コードレス親子電話システム１は、電話機の一例としての親機１ａと、親機１ａと通信可能な複数の子機１ｂ，１ｃ，１ｄとを備えて構成されている。
親機１ａは、電話回線２６を介して接続される相手側装置との間で、電話動作、ファクシミリ動作や電子メールの送受信を行う通信装置である。この親機１ａの本体２の側部には、受話器３が取り付けられている。
【００１４】
本体２の上面前部には、数値や文字などを入力する入力ボタンやコマンドを入力するコマンド入力ボタンなどの複数のボタンを備えた操作パネル４が設けられている。この操作パネル４の左上端部にはコマンド入力ボタンの一つである設定ボタン４ａが設けられている。設定ボタン４ａは、各種の設定やコマンドを入力する入力画面を液晶表示器（以下単に「ＬＣＤ」と略す）５に表示させるためのボタンであり、この設定ボタン４ａが操作者により押下されると入力画面がＬＣＤ５に表示される。
【００１５】
操作パネル４の中央部には、上記したＬＣＤ５が設けられている。このＬＣＤ５は、親機１ａにより実行される処理や、親機１ａと電話回線２６を介して接続されている相手側装置との通信状態を表示する表示器であり、タッチパネルで構成されている。親機１ａが、操作パネル４上に設けられた設定ボタン４ａやテンキー４ｂ等のボタンにより操作されると、その操作状態や操作手順などがＬＣＤ５へ表示される。
【００１６】
操作パネル４およびＬＣＤ５の後部には原稿挿入口６が設けられている。ファクシミリ送信される原稿は、この原稿挿入口６に挿入され、読み取りが行われた後に、本体２の前面に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され印刷に使用された記録紙は、原稿排出口７の下方に設けられた記録紙排出口８から排出される。
【００１７】
また、本体２には、子機１ｂ〜１ｄと各種信号やデータの送受信を行うための接続手段としてアンテナ１８が設けられている。そして、親機１ａから定期的にビーコンが、子機１ｂ〜１ｄに対して送信されるようになっている。ここで、「ビーコン」とは、電話機と携帯機器とを同期させるために電話機から一定間隔で送信するパケットのことをいう。そして、このビーコンは、子機１ｂ〜１ｄが待ち受け状態であるときに送信される。待ち受け状態の子機１ｂ〜１ｄはこのビーコンを受信する。なお、このビーコンは、公知の技術であるため、その詳細は説明しないが、簡単に説明すると、図２に示すような構造となっている。すなわち、図２（ａ）に示すように、ビーコンとして例えば４つの送信スロットＴＳ１，ＴＳ２，ＴＳ３，ＴＳ４からなる送信フレームＴＦ（パケット）が、一定間隔（受信フレームＲＦ分の時間）で、各子機１ｂ〜１ｄに送信されるようになっている。各送信スロットＴＳ１，ＴＳ２，ＴＳ３，ＴＳ４は、所定量のデータが割り当てられる領域であり、本実施形態では、データ量に応じて各送信スロットＴＳ１，ＴＳ２，ＴＳ３，ＴＳ４に音楽データが割り当てられるようになっている。すなわち、データ量が少ない場合には、例えば図２（ａ）に示すように、送信スロットＴＳ１にのみ音楽データが割り当てられ、データ量が多い場合には、例えば図２（ｂ）に示すように、３つの送信スロットＴＳ１，ＴＳ２，ＴＳ３に音楽データが割り当てられる。
【００１８】
なお、断続的に送信される各送信フレームＴＦの間は、１つの送信フレームＴＦと同じ時間分の受信フレームＲＦとして設定され、この受信フレームＲＦは、４つの受信スロットＲＳ１，ＲＳ２，ＲＳ３，ＲＳ４で構成される。そして、各受信スロットＲＳ１〜ＲＳ４には、子機１ｂ〜１ｄから送信される信号（例えば子機１ｂ〜１ｄの操作に起因して子機１ｂ〜１ｄから発せられる信号）などが割り当てられる。すなわち、子機１ｂ〜１ｄの送信スロットの４つのうち、一つを使用して信号が親機１ａへ送られ、親機１ａは受信スロットＲＳ１〜ＲＳ４で受けるようになっている。
【００１９】
図１に示すように、子機１ｂ〜１ｄは、親機１ａとの間でデータの送受信を行うためのアンテナ３３（図３参照）を備えた携帯機器である。この子機１ｂ〜１ｄは、親機１ａを介して電話回線２６に接続できるように構成されている。この子機１ｂ〜１ｄからの外線発呼は、コマンドを親機１ａに送信し、そのコマンドに基づいた動作を親機１ａに実行させることにより実行される。
【００２０】
子機１ｂ〜１ｄは、その筐体前面に操作パネル３７とＬＣＤ３８とを備えている。操作パネル３７の中央部には、数値や文字などを入力する複数のテンキー３７ａが設けられている。テンキー３７ａの上方左側には、スタートキー４４が備えられている。スタートキー４４は、電話回線２６の閉結および開放を実行するためのボタンである。
【００２１】
子機１ｂ〜１ｄの筐体の下方には、音声信号（使用者の発話）を電気信号に変換するマイク３５が設けられ、また子機１ｂ〜１ｄの筐体の上方には電気信号を音声信号に変換するスピーカ３６が設けられている。これにより子機１ｂ〜１ｄは、親機１ａまたは、電話回線２６を介して発呼側装置（相手側装置）と通話を行うことができる。また、子機１ｂ〜１ｄは、充電台５０に着脱可能に設置されている。
【００２２】
次に、親機１ａおよび子機１ｂ〜１ｄの電気的構成を説明する。参照する図面において、図３は、親機および子機の電気的構成を示したブロック図である。
【００２３】
親機１ａには、ＣＰＵ１１、ＲＯＭ１２、ＲＡＭ１３、ＥＥＰＲＯＭ１４、リアルタイムクロック（以下単に「ＲＴＣ」と略す）１５、音声ＬＳＩ１７、コードレスユニット５１、ネットワーク・コントロール・ユニット（以下単に「ＮＣＵ」と称す）１９、モデム２０、バッファ２１、スキャナ２２、符号化部２３、復号化部２４、プリンタ２５、操作パネル４、ＬＣＤ５、アンプ２７およびミュージックサーバ６０が設けられ、これらはバスライン２９を介して互いに接続されている。
【００２４】
ＮＣＵ１９は回線制御を行うためのものであり、親機１ａはこのＮＣＵ１９を介して電話回線２６に接続されている。ＮＣＵ１９は、交換機から送信される呼出信号や各種信号を受信するとともに、親機１ａの操作パネル４上または子機１ｂ〜１ｄの操作パネル３７上の入力ボタンの操作に応じた発信時のダイヤル信号を交換機へ送信したり、電話回線２６の閉結時において、アナログ音声信号の送受信などのデータ通信を行うものである。また、ＮＣＵ１９は受話器３と接続されている。
【００２５】
ＣＰＵ１１は、ＮＣＵ１９を介して送受信される各種信号やＲＯＭ１２に記憶されたプログラムに従って、バスライン２９により接続された各部を制御し、ファクシミリ動作や電話動作などのデータ通信を実行するものである。
ＲＯＭ１２は、この親機１ａで実行される制御プログラム等を格納した書換不能なメモリであり、本実施形態においては、子機１ｂ〜１ｄに対してビーコンを定期的に送信する送信プログラムや、ミュージックサーバ６０から取得した音楽データをビーコンに付加する付加プログラムなどを格納している。なお、付加プログラムでは、付加する音楽データの量が１つの送信スロットＴＳ１に収まらない場合には、余ったデータをその他の送信スロットＴＳ２〜ＴＳ４に順次割り当てて付加するようになっている。すなわち、この付加プログラムは、音楽データが所定量以上であるときに、複数の送信スロットＴＳ１〜ＴＳ４に音楽データを付加するようになっている。ここで、送信プログラムが送信手段の一例に相当し、付加プログラムが付加手段の一例に相当している。
【００２６】
ＥＥＰＲＯＭ１４は、書換可能な不揮発性のメモリであり、このＥＥＰＲＯＭ１４へ記憶されたデータは電源オフ後も保持される。なお、このＥＥＰＲＯＭ１４には、設定ボタン４ａやテンキー４ｂ等のボタンの操作により適宜子機１ｂ〜１ｄとして登録される携帯機器の情報（例えば、識別番号）などが記憶される。
【００２７】
ＲＡＭ１３は、各種のデータを一時的に記憶するためのメモリであり、例えば、復号化されたファクシミリデータを一時的に記憶する。なお、記憶されたファクシミリデータは、その後、プリンタ２５に出力される。出力されたファクシミリデータは、プリンタ２５によって記録紙に印刷された後に、ＲＡＭ１３から消去される。
【００２８】
ＲＴＣ１５は、年月日や曜日、時間、分、秒の計時を行うＩＣである。受信したファクシミリデータなどには、このＲＴＣ１５の値に基づいて、受信した日付と時刻とのデータが付加され、受信時間による管理を行うことができるようになっている。このＲＴＣ１５には、親機１ａの電源をオフにした場合のバックアップ用の電圧を供給するバッテリー回路１５ａが接続さている。ＲＴＣ１５は、このバッテリー回路１５ａにより、親機１ａの電源をオフした後でも計時を継続することができる。
【００２９】
音声ＬＳＩ１７は、ＮＣＵ１９によって受信されたアナログ音声信号をデジタル音声信号に変換するとともに、この親機１ａの内部で生成されたデジタル音声信号をアナログ音声信号に変換してＮＣＵ１９に出力するものである。
【００３０】
アンテナ１８は、親機１ａと子機１ｂ〜１ｄとの間でデータの送受信を行うためのものであり、子機１ｂ〜１ｄへと送信されるビーコンや音楽データなどの各種信号は、コードレスユニット５１およびアンテナ１８を介して送信される。一方、子機１ｂ〜１ｄから親機１ａへ送信されるデータや各種信号は、アンテナ１８を介して受信される。受信されたデータは、コードレスユニット５１を経由してＣＰＵ１１に入力される。
【００３１】
コードレスユニット５１は、ビーコンや音楽データなどを電波として送受するためのユニットである。このコードレスユニット５１は、図示せぬデジタル／アナログ変換器を有している。
モデム２０は、画像データや電子メールデータの変調および復調を実行するものであるとともに、伝送制御用の各種手順信号を送受信するものである。
バッファ２１は、他のファクシミリ装置との間で送受信される符号化されたファクシミリデータやスキャナ２２により読み取られた原稿の画像データを一時的に格納するものである。
【００３２】
スキャナ２２は、原稿挿入口６に挿入された原稿の画像を読み取るためのものであり、符号化部２３は、スキャナ２２により読み取られた原稿画像の符号化を行うものである。
復号化部２４は、バッファ２１に記憶された受信したファクシミリデータを読み出して、これを復号化するものであり、復号化されたデータは、ＲＡＭ１３に一旦記憶された後、プリンタ２５により記録用紙に順次印刷される。
【００３３】
操作パネル４は、上記したように使用者がこの親機１ａの設定等の各種の操作を行うためのものである。例えば、使用者が操作パネル４を適宜操作することで、所定の携帯機器を子機として登録することが可能となっている。また、使用者が操作パネル４を適宜操作することで、音楽データが付加されたビーコンの配信先（子機１ｂ〜１ｄの少なくとも１つ）の選択や、ミュージックサーバ６０内の音楽データの選択や、配信モードの選択などが可能となっている。ここで、配信モードとは、着信前に音楽を再生していた子機１ｂ〜１ｄによる通話終了後に移行するモードであり、本実施形態では、着信前に再生していた音楽を再び再生させる再生モードと、音楽の再生を行っていない通常の状態に戻す待ち受けモードとの２種類のモードのことをいう。
アンプ２７は、そのアンプ２７に接続されたスピーカ２８を鳴動して、呼出音、音声メッセージ、音楽などを出力するためのものである。
【００３４】
ミュージックサーバ６０は、外部からＦＭ電波を受信可能な構造となっているとともに、メモリーカードインターフェース（以下、単に「Ｉ／Ｆ」と略す）６１を介してメモリカード６２から音楽データ（デジタルデータ）を受信可能な構造となっている。そして、このミュージックサーバ６０は、操作パネル４の操作により、電源がＯＮ・ＯＦＦされるようになっており、電源がＯＮにされたときに、ＦＭ電波で送信されるＦＭ変調されたアナログ音楽データを所定の機器で、復調して音楽データ（デジタルデータ）に変換した後記憶部に一時的に保存し、または、メモリカード６２から音楽データ（デジタルデータ）を取り込んで、記憶部に一時的に保存する。なお、このミュージックサーバ６０の記憶部内の音楽データは、ＣＰＵ１１によって適宜取り出され、このＣＰＵ１１は、取り出した音楽データを、子機１ｂ〜１ｄへ伝送するためのデータ列に変換して、ビーコンに付加してコードレスユニット５１に出力する。
【００３５】
次に、子機１ｂ〜１ｄにおける電気的構成について子機１ｂを用いて説明する。なお、子機１ｃ，１ｄは、子機１ｂと同様に構成されるのでその説明は省略する。
子機１ｂは、ＣＰＵ３０、ＲＯＭ３１、ＲＡＭ３２、コードレスユニット３４、操作パネル３７、ＬＣＤ３８を備え、これらは互いに接続されている。
【００３６】
ＣＰＵ３０は、使用者により入力された信号や、コードレスユニット３４を介して親機１ａから送信される各種信号やＲＯＭ３１に記憶されたプログラムなどに従って各部を制御し、電話動作など（親機１ａとのデータ通信を含む）を実行するものである。
ＲＯＭ３１は、この子機１ｂで実行される制御プログラム等を格納した書換不能なメモリである。本実施形態においては、このＲＯＭ３１には、親機１ａから送信されてくるビーコンから音楽データを取得する取得プログラムや、ビーコンから取得した音楽データをスピーカ３６に出力して再生させる再生プログラムなどが格納されている。ここで、再生プログラムは、再生手段の一例に相当する。
ＲＡＭ３２は、各種のデータを一時的に記憶するためのメモリである。
【００３７】
アンテナ３３は、子機１ｂと親機１ａとの間での電波の送受信を行うものであり、コードレスユニット３４、マイク３５、スピーカ３６と接続されている。親機１ａから送信されたアナログ音声信号は、アンテナ３３に受信された後、スピーカ３６に出力され、マイク３５から入力されたアナログ音声信号（使用者の発話）は、アンテナ３３から親機１ａへと送信される。また、親機１ａから送信されるビーコンは、アンテナ３３で受信された後、コードレスユニット３４を介してＣＰＵ３０に送信される。そして、ＣＰＵ３０は、ビーコンを受信すると、そのビーコンに音楽データが付加されているか否かを判断し、付加されている場合に、ビーコンから音楽データを取得して、コードレスユニット３４によりアナログ音楽データに変換し、スピーカ３６に出力するようになっている。
【００３８】
コードレスユニット３４は、音楽データや音声信号やデータ信号を電波として送受するためのユニットである。コードレスユニット３４は親機１ａとの間でデータの送受信を行うためのものであり、子機１ｂから親機１ａへと送信される各種信号は、このコードレスユニット３４からアンテナ３３を介して送信され、一方、親機１ａから子機１ｂへ送信される各種信号は、アンテナ３３に受信された後、コードレスユニット３４を介してＣＰＵ３０に入力される。なお、このコードレスユニット３４は、図示せぬデジタル／アナログ変換器を有している。
【００３９】
この子機１ｂは、コネクタ４９を介して充電台５０と接続されるように構成されている。そして、コネクタ４９で充電台５０と接続されることにより、子機１ｂは、外部電源からの電源供給を受ける。供給された電源は、コネクタ４９を経由して子機１ｂに内蔵される電源ユニット４８へ供給される。電源ユニット４８には２次電池が備えられており、供給された電源により該２次電池は充電される。子機１ｂは、この電源ユニット４８から電源供給を受けるので、充電台５０から取り上げて操作する場合においても、（電源ユニット４８に備えられた２次電池により）電源が保証される。
【００４０】
なお、ＬＣＤ３８および操作パネル３７は、親機１ａと同じ機能を有している。すなわち、使用者がＬＣＤ３８を見ながら、操作パネル３７を適宜操作することで、前記した音楽データの配信先の選択や、ミュージックサーバ６０内の音楽データの選択や、配信モードの選択などが可能となっている。
【００４１】
次に、図４のフローチャートを参照して、上述のように構成されたコードレス親子電話システム１による音楽の再生方法について説明する。参照する図面において、図４は、コードレス親子電話システムによる音楽再生処理について説明するフローチャートである。
【００４２】
図４に示すように、まず、通常状態のステップＳ１においては、主に親機１ａのＣＰＵ１１が、各子機１ｂ〜１ｄに対して定期的にビーコンを送信している。また、このステップＳ１では、定期的にステップＳ２に移行する制御がなされている。
【００４３】
ステップＳ２では、親機１ａのＣＰＵ１１が、ＯＮ状態となるミュージックサーバ６０から発せられる信号を受信したか否かを判断することで、ミュージックサーバ６０が使用されているか否かを判断する。ステップＳ２において、ミュージックサーバ６０が使用されていると判断した場合には（Ｓ２；Ｙｅｓ）、親機１ａのＣＰＵ１１は、親機１ａの操作パネル４の所定の設定開始ボタンの押圧によって設定開始ボタンから出力される信号を受信したか否かを判断することで、親機１ａから各種設定が行われようとしているか否かを判断する（Ｓ３）。
【００４４】
ステップＳ３において、親機１ａから各種設定が行われないと判断した場合には（Ｎｏ）、親機１ａのＣＰＵ１１は、子機１ｂ〜１ｄの所定の設定開始ボタンの押圧によって親機１ａに送信される設定に関する信号を受信したか否かを判断することで、子機１ｂ〜１ｄから各種設定が行われようとしているか否かを判断する（Ｓ４）。ステップＳ４において、子機１ｂ〜１ｄから各種設定が行われないと判断した場合には（Ｎｏ）、親機１ａのＣＰＵ１１はステップＳ２の処理に戻る。
【００４５】
親機１ａから各種設定が行われると判断した場合や（Ｓ３；Ｙｅｓ）、子機１ｂ〜１ｄから各種設定が行われると判断した場合には（Ｓ４；Ｙｅｓ）、親機１ａのＣＰＵ１１は、親機１ａの操作パネル４や、子機１ｂ〜１ｄの操作パネル３７の操作により子機１ｂ〜１ｄから送られてくる各種信号に基づいて各種設定を選択する。具体的には、親機１ａのＣＰＵ１１は、配信先の子機の選択や（Ｓ５）、配信モードの選択や（Ｓ６）、音楽データの選択（Ｓ７）を行う。例えば、親機１ａのＣＰＵ１１は、３機の子機１ｂ〜１ｄのうちの子機１ｂを選択し、２種類の配信モード（再生モード、待ち受けモード）のうちの再生モードを選択し、ミュージックサーバ６０の記憶部内に記憶されている複数の音楽データの中から所定のデータを選択する。
【００４６】
ステップＳ７の後は、親機１ａのＣＰＵ１１は、選択した音楽データを、音声ＬＳＩ１７を介してスピーカ２８で再生するとともに、選択した音楽データをビーコンに付加し、そのビーコンを配信先の子機に対して送信する。ここで、選択した音楽データのデータ量が大きい場合には、親機１ａのＣＰＵ１１は、音楽データをビーコンに付加する際、複数の送信スロットＴＳ１〜ＴＳ４に順次割り当てる。これにより、親機１ａと配信先の子機とで所定の音楽が良好に再生されることとなる（Ｓ８）。
【００４７】
そして、このような再生中においては、親機１ａのＣＰＵ１１が、電話回線２６を介して外部の交換機から所定の呼出信号を受信したか否かを判断することで、親機１ａに着信があったか否かを判断する（Ｓ９）。ステップＳ９において、着信がないと判断した場合には（Ｎｏ）、親機１ａのＣＰＵ１１が、親機１ａの操作パネル４または子機１ｂ〜１ｄの操作パネル３７の所定の停止ボタンの押圧によって停止ボタンから出力される所定の信号を受信したか否かを判断することで、使用者によって再生の終了処理が行われたか否かを判断する（Ｓ１０）。ステップＳ９において着信があったと判断した場合や（Ｙｅｓ）、ステップＳ１０において終了処理が行われたと判断した場合には（Ｙｅｓ）、親機１ａのＣＰＵ１１が、ミュージックサーバ６０の電源をＯＦＦとすることで、親機１ａおよび子機１ｂ〜１ｄでの音楽の再生を終了させる（Ｓ１１）。
【００４８】
ステップＳ１１の後や、ステップＳ２でＮｏと判断された後は、親機１ａのＣＰＵ１１や子機１ｂ〜１ｄのＣＰＵ３０は、親機１ａから着信信号を受信したか否かを判断する（Ｓ１２）。ここで、ステップＳ１１からステップＳ１２への移行の処理（すなわち、ビーコンによる通信から通話用の無線電波による通信への移行）や、ステップＳ１２〜Ｓ１４までの処理（電話モード）は、公知の技術であるため、詳細な説明は省略する。
【００４９】
ステップＳ１２において着信信号を受信したと判断した場合には、子機１ｂ〜１ｄのＣＰＵ３０は、スピーカ３６に着信音情報を出力して、スピーカ３６から着信音を発生させる（Ｓ１３）。その後、子機１ｂ〜１ｄのＣＰＵ３０は、スタートキー４４（図１参照）が押されて通話可能となったか否かを判断し（Ｓ１４）、通話可能と判断した場合に、その子機による通話が開始される（Ｓ１５）。また、ステップＳ１４において通話可能でないと判断した場合（例えば所定時間押されないか、相手先から切断された場合）には、子機１ｂ〜１ｄのＣＰＵ３０は、ステップＳ８の処理に戻る。
【００５０】
ステップＳ１５において通話していた使用者が、再度スタートキー４４を押して子機１ｂ〜１ｄを充電台５０に置くことで電話を切ると、子機１ｂ〜１ｄのＣＰＵ３０は、通話が終了したと判断する（Ｓ１６）。そして、ステップＳ１６の後は、親機１ａのＣＰＵ１１は、ステップＳ６で選択した配信モードへ移行する。すなわち、配信モードとして再生モードが選択されている場合にはステップＳ７に移行し、待ち受けモードが選択されている場合にはステップＳ１に移行する。
【００５１】
以上によれば、本実施形態において以下のような効果を得ることができる。
親機１ａから子機１ｂ〜１ｄに対して定期的に送信されるビーコンに、音楽データを付加するので、音楽データ（デジタル音楽信号）を送受信するための無線機器を別途設けることなく、音楽データの送信をスムーズに行うことができる。
音楽データが所定量以上であるときには、複数の送信スロットＴＳ１〜ＴＳ４に音楽データを付加するので、データ量が大きい場合であっても容易に対応することができる。
【００５２】
なお、本発明は前記実施形態に限定されることなく、以下に例示するように様々な形態で利用できる。
前記実施形態では、データ量が大きいときに複数の送信スロットＴＳ１〜ＴＳ４を使用することとしたが、本発明はこれに限定されるものではない。例えば、各送信スロットＴＳ１〜ＴＳ４ごとに異なる音楽データを付加してもよい。なお、この場合は、子機１ｂ〜１ｄのＣＰＵ３０は、各送信スロットＴＳ１〜ＴＳ４に付加された音楽データの中から、所定の送信スロットに付加された音楽データを選択して再生するようにしてもよい。例えば、ビーコンの送信スロットＴＳ１に第１の音楽データを付加し、送信スロットＴＳ２に第２の音楽データを付加し、送信スロットＴＳ３に第３の音楽データを付加し、子機１ｂにおいては送信スロットＴＳ１のデータのみを選択して再生し、子機１ｃにおいては送信スロットＴＳ２のデータのみを選択して再生し、子機１ｄにおいては送信スロットＴＳ３のデータのみを選択して再生するようにすればよい。これによれば、子機１ｂ〜１ｄごとに異なる音楽を再生することができる。なお、子機１ｂ〜１ｄのＣＰＵ３０によって音楽データを選択して再生する方法としては、例えば、各送信スロットＴＳ１〜ＴＳ４内のデータを１度全部取り込んだ後、子機１ｂ〜１ｄ内で選別したデータのみをスピーカ３６に出力する方法や、所定の送信スロット内のデータのみを受信する方法などがある。
【００５３】
前記実施形態では、ビーコンに付加する音楽データとして、音楽データを採用したが、本発明はこれに限定されず、映像データを配信して、子機で視聴する構成であってもよい。
【００５４】
前記実施形態では、Ｉ／Ｆ６１を介してミュージックサーバ６０に接続されるメモリカード６２から音楽データを取得したが、本発明はこれに限定されず、例えばＵＳＢ端子を介してミュージックサーバ６０に接続される記憶媒体などから音楽データを取得してもよい。また、インターネットを介して配信される音楽データを取得してもよい。
【図面の簡単な説明】
【００５５】
【図１】親機と子機とから構成されるコードレス親子電話システムの外観斜視図である。
【図２】ビーコンの構造を示す説明図であり、送信スロットを１つしか利用しない形態を示す図（ａ）と、送信スロットを３つ利用した形態を示す図（ｂ）である。
【図３】親機および子機の電気的構成を示したブロック図である。
【図４】コードレス親子電話システムによる音楽再生処理について説明するフローチャートである。
【符号の説明】
【００５６】
１      コードレス親子電話システム
１ａ    親機
１ｂ〜１ｄ  子機
１１    ＣＰＵ
１２    ＲＯＭ
２８    スピーカ
３０    ＣＰＵ
３１    ＲＯＭ
３６    スピーカ
６０    ミュージックサーバ
６１    メモリーカードインターフェース
６２    メモリカード
【図１】
2008236495.tif 000003
【図２】
2008236495.tif 000004
【図３】
2008236495.tif 000005
【図４】
2008236495.tif 000006